(57)【要約】【課題】乗客の操作により再生中のＢＧＭを最初から再生し直したり、好みでないＢＧＭが再生中の場合は飛ばして次のＢＧＭを再生したり、聞きたくなければＢＧＭを止めたりできるエレベータかご内のＢＧＭ再生装置を得る。【解決手段】エレベータかご内に設置されたスピーカー２と、複数のＢＧＭを記憶し、選択されたＢＧＭをスピーカーよりかご内に流すＢＧＭ再生装置１と、かご操作盤６に設けられ、かご停止中に押されると戸開する戸開ボタン７と、かご操作盤に設けられ、かご停止中に押されると戸閉する戸閉ボタン８と、エレベータ走行中に戸開ボタン又は戸閉ボタンが押されると、ＢＧＭ再生装置に対し、再生中のＢＧＭを一旦停止して最初から再生する、又は再生中のＢＧＭを飛ばして次曲のＢＧＭを再生するよう制御するエレベータ制御装置とを備える。【選択図】図１
2009035340.tif 000002
【特許請求の範囲】
【請求項１】
エレベータかご内に設置されたスピーカーと、
複数のＢＧＭを記憶している情報記憶部、ＢＧＭを選択するＢＧＭ選択部及び選択されたＢＧＭを前記スピーカーよりかご内に流す音声出力部から成るＢＧＭ再生装置と、
かご操作盤に設けられ、かご停止中に押されると戸開する戸開ボタンと、
かご操作盤に設けられ、かご停止中に押されると戸閉する戸閉ボタンと、
エレベータ走行中に前記戸開ボタン又は戸閉ボタンが押されると、前記ＢＧＭ再生装置に対し、再生中のＢＧＭを一旦停止して最初から再生する、又は再生中のＢＧＭを飛ばして次曲のＢＧＭを再生するよう制御するエレベータ制御装置と、
を備えたエレベータのＢＧＭ再生装置。
【請求項２】
エレベータかご内に設置されたスピーカーと、
複数のＢＧＭを記憶している情報記憶部、ＢＧＭを選択するＢＧＭ選択部及び選択されたＢＧＭを前記スピーカーよりかご内に流す音声出力部から成るＢＧＭ再生装置と、
かご操作盤に設けられ、かご停止中に押されると戸開する戸開ボタンと、
かご操作盤に設けられ、かご停止中に押されると戸閉する戸閉ボタンと、
エレベータ走行中に前記戸開ボタン又は戸閉ボタンが所定の条件で押されると、前記ＢＧＭ再生装置に対し、再生中のＢＧＭを一旦停止して最初から再生したり、再生中のＢＧＭを飛ばして次曲のＢＧＭを再生したり、ＢＧＭを停止したり、制御するエレベータ制御装置と、
を備えたエレベータのＢＧＭ再生装置。
【請求項３】
エレベータ制御装置は、ＢＧＭ再生装置が再生中のＢＧＭを停止した場合は、エレベータが方向反転した時に前記ＢＧＭ再生装置を停止状態から元の状態に復帰させることを特徴とする請求項２記載のエレベータのＢＧＭ再生装置。
【発明の詳細な説明】
【技術分野】
【０００１】
この発明は、メモリやメディア等に記憶されているＢＧＭを再生してエレベータかご内に流すようにしたエレベータかご内のＢＧＭ再生装置に関するものである。
【背景技術】
【０００２】
図６は従来のエレベータかご内のＢＧＭ再生装置のシステム構成を示す図である。図４において、１はＢＧＭ再生装置、２はかご内に設置されたスピーカーで、ＢＧＭ再生装置１からの音声入力を音声として流す。３はＢＧＭ再生装置１の音声出力部、４はＢＧＭ再生装置１のＢＧＭ選択部、５はＢＧＭ再生装置１のＢＧＭ情報記憶部で、複数の音楽からなるＢＧＭ１、ＢＧＭ２・・・ＢＧＭＮを記憶している。ＢＧＭ再生装置１は、何らかの操作により、メモリや外部メディアに記憶（録音）しているＢＧＭを再生し、スピーカー２へ音声信号を入力し、スピーカー２はその音声をエレベータかご内に流す。ＢＧＭ再生装置１内のメモリや外部メディアには、一般的に複数のＢＧＭ１〜ＢＧＭＮが録音されており、ＢＧＭ再生装置１は録音されている順番にＢＧＭを選択したり、予め設定した順番でＢＧＭを選択することが可能である。また、ＢＧＭ再生装置１には、曲の先頭から再生する頭出し機能を有しており、専用のボタンを押したり、リモコンを使用するなど、ユーザー操作により行われるのが一般的である。
【０００３】
また、従来技術として、乗客の操作により得られる入力に従って表示情報を前情報又は次情報へ切り替える手段を備えたエレベータの情報表示装置が知られている（例えば、特許文献１参照）。
【０００４】
【特許文献１】特開２００４−１０６９５８号公報
【発明の開示】
【発明が解決しようとする課題】
【０００５】
従来のエレベータかご内のＢＧＭ再生装置では、ユーザーが曲の頭出しを行うには、リモコン、もしくはＢＧＭ再生装置本体をユーザーが操作できる位置に設置する必要があるが、そのような構成にすると、機器の損傷、盗難、リモコンの電池切れ、かご内意匠を損ねる等の問題点があり、実現が困難であった。また、乗客の中には、ＢＧＭを聞きたくないと思う人もいるかも知れないが、流れているＢＧＭを途中で止めることができないという問題点もあった。また、従来技術は、エレベータの情報表示装置であって、エレベータかご内のＢＧＭ再生装置ではない。
【０００６】
この発明は上記の課題を解消するためになされたもので、乗客の操作により再生中のＢＧＭを最初から再生し直したり、好みでないＢＧＭが再生中の場合は飛ばして次のＢＧＭを再生したり、聞きたくなければＢＧＭを止めたりできるエレベータかご内のＢＧＭ再生装置を提供することを目的とする。
【課題を解決するための手段】
【０００７】
この発明に係るエレベータかご内のＢＧＭ再生装置においては、エレベータかご内に設置されたスピーカーと、複数のＢＧＭを記憶している情報記憶部、ＢＧＭを選択するＢＧＭ選択部及び選択されたＢＧＭをスピーカーよりかご内に流す音声出力部から成るＢＧＭ再生装置と、かご操作盤に設けられ、かご停止中に押されると戸開する戸開ボタンと、かご操作盤に設けられ、かご停止中に押されると戸閉する戸閉ボタンと、エレベータ走行中に戸開ボタン又は戸閉ボタンが押されると、ＢＧＭ再生装置に対し、再生中のＢＧＭを一旦停止して最初から再生する、又は再生中のＢＧＭを飛ばして次曲のＢＧＭを再生するよう制御するエレベータ制御装置とを備えたものである。
【０００８】
また、この発明に係るエレベータかご内のＢＧＭ再生装置においては、エレベータかご内に設置されたスピーカーと、複数のＢＧＭを記憶している情報記憶部、ＢＧＭを選択するＢＧＭ選択部及び選択されたＢＧＭをスピーカーよりかご内に流す音声出力部から成るＢＧＭ再生装置と、かご操作盤に設けられ、かご停止中に押されると戸開する戸開ボタンと、かご操作盤に設けられ、かご停止中に押されると戸閉する戸閉ボタンと、エレベータ走行中に戸開ボタン又は戸閉ボタンが所定の条件で押されると、ＢＧＭ再生装置に対し、再生中のＢＧＭを一旦停止して最初から再生したり、再生中のＢＧＭを飛ばして次曲のＢＧＭを再生したり、ＢＧＭを停止したり、制御するエレベータ制御装置とを備えたものである。
【０００９】
また、エレベータ制御装置は、ＢＧＭ再生装置が再生中のＢＧＭを停止した場合は、エレベータが方向反転した時にＢＧＭ再生装置を停止状態から元の状態に復帰させるものである。
【発明の効果】
【００１０】
この発明によれば、エレベータ走行中に限り、再生中の曲を始めから聞きたいと思った場合は、戸開ボタンを一回押せば、その曲を最初から再生することができる。そして、好みでないＢＧＭが再生中で飛ばして次のＢＧＭを聞きたいと思った場合は、戸閉ボタンを一回押せば、次曲を最初から再生することができる。
また、再生中のＢＧＭを聞きたくないと思った場合は、戸開ボタンを連続して二回以上押せば、再生を停止させて、かご内を静かな環境にすることができる。なお、戸開ボタンを連続して二回以上押して再生を停止させた場合は、その後エレベータが方向を反転した時、その乗客が居なくなったと判断して、ＢＧＭ再生装置を停止状態から元の状態に復帰させることができる。
【発明を実施するための最良の形態】
【００１１】
実施の形態１．
図１はこの発明の実施の形態１におけるエレベータかご内のＢＧＭ再生装置を示すシステム構成図、図２はエレベータかご内のＢＧＭ再生装置のエレベータ側における動作を説明するためのフローチャート、図３はエレベータかご内のＢＧＭ再生装置におけるＢＧＭ再生装置側の動作を説明するためのフローチャートである。
【００１２】
図１において、１はＢＧＭ再生装置、２はかご内に設置されたスピーカーで、ＢＧＭ再生装置１からの音声入力を音声として流す。３はＢＧＭ再生装置１の音声出力部、４はＢＧＭ再生装置１のＢＧＭ選択部、５はＢＧＭ再生装置１のＢＧＭ情報記憶部で、複数の音楽からなるＢＧＭ１、ＢＧＭ２・・・ＢＧＭＮを記憶している。ＢＧＭ再生装置１は、メモリや外部メディアに記憶（録音）しているＢＧＭを再生し、スピーカー２へ音声信号を入力し、スピーカー２はその音声をエレベータかご内に流す。ＢＧＭ再生装置１内のメモリや外部メディアには、複数のＢＧＭ１〜ＢＧＭＮが録音されており、ＢＧＭ再生装置１は録音されている順番にＢＧＭを選択したり、予め設定した順番でＢＧＭを選択することが可能である。ここまでの構成は、従来の構成と同様である。６はかご操作盤、７はかご操作盤６に設けられた戸開ボタンで、かご停止中に乗客によって押された場合は戸開する。８は同じくかご操作盤６に設けられた戸閉ボタンで、かご停止中に乗客によって押された場合は戸閉する。９はエレベータ制御装置である。なお、上記戸開ボタン７及び戸閉ボタン８は、エレベータ走行中に押されても、戸開及び戸閉しないようになっている。
【００１３】
この発明においては、エレベータ走行中に限り、戸開ボタン７が乗客によって押された場合は、そのボタン情報信号はエレベータ制御装置９に取り込まれ、ＢＧＭ選択部４に送られて、例えば、再生中のｘ番目の曲を一旦停止し、ｘ番目の曲を最初から再生する。これにより、エレベータに乗り込んだ乗客が、再生中の曲を始めから聞きたいと思った場合は、戸開ボタン７を押せば、その曲を最初から再生することができる。また、エレベータ走行中に限り、戸閉ボタン８が乗客によって押された場合は、そのボタン情報信号はエレベータ制御装置９に取り込まれ、ＢＧＭ選択部４に送られて、例えば、再生中のｘ番目の曲を停止し、ｘ＋１番目の曲（次曲）を最初から再生する。これにより、エレベータに乗り込んだ乗客が、好みでないＢＧＭが再生中で飛ばして次のＢＧＭを聞きたいと思った場合は、戸閉ボタン８を押せば、ｘ＋１番目の曲（次曲）を最初から再生することができる。
【００１４】
次に、図２に基づいてエレベータかご内のＢＧＭ再生装置のエレベータ側における動作を説明する。
先ず、ステップＳ１でエレベータが走行中であるかどうかを判断する。走行中でなければ（かご停止中）、戸開ボタン７が押されていれば戸開し、戸閉ボタン８が押されていれば戸閉する。エレベータが走行中であれば、ステップＳ２に進み、戸閉ボタン８が押されたかどうかを判断する。戸閉ボタン８が押されていれば、エレベータ制御装置９を介してＢＧＭ再生装置１へ戸閉ボタン情報を出力する（ステップＳ３）。次に、ステップＳ４で戸開ボタン７が押されたかを判断する。戸開ボタン７が押されていれば、エレベータ制御装置９を介してＢＧＭ再生装置１へ戸開ボタン情報を出力する（ステップＳ５）。
【００１５】
次に、図３に基づきエレベータかご内のＢＧＭ再生装置のＢＧＭ再生装置側における動作を説明する。
先ず、ＢＧＭ選択部４により、スピーカー２へ最初に出力する情報を選択する（ステップＳ１１）。選択したＢＧＭは音声出力部３を経由してスピーカー２に出力される（ステップＳ１２）。次に、ステップＳ１３でＢＧＭが終了したかどうかを判断し、終了していれば次のＢＧＭを選択し（ステップＳ１４）、これを繰り返す。今、ステップＳ１３でＢＧＭが終了していない時に、エレベータ側からの戸開ボタン情報があると（ステップＳ１５）、戸開ボタン情報がある場合は、例えば、再生中のｘ番目の曲を一旦停止し、ｘ番目の曲を最初から再生する（ステップＳ１６）。これにより、エレベータに乗り込んだ乗客が、再生中の曲を始めから聞きたいと思った場合は、戸開ボタン７を押せば、その曲を最初から再生することができる。また、ステップＳ１７でエレベータ側からの戸閉ボタン情報あれば、ステップＳ１４に進み、例えば、再生中のｘ番目の曲を停止し、ｘ＋１番目の曲を最初から再生する。これにより、エレベータに乗り込んだ乗客が、好みでないＢＧＭが再生中で飛ばして次のＢＧＭを聞きたいと思った場合は、戸閉ボタン８を押せば、ｘ＋１番目の曲（次曲）を最初から再生することができる。
【００１６】
以上述べたように、この実施の形態１によれば、エレベータ走行中に限り、再生中の曲を始めから聞きたいと思った場合は、戸開ボタンを押せば、その曲を最初から再生することができる。また、好みでないＢＧＭが再生中で飛ばして次のＢＧＭを聞きたいと思った場合は、戸閉ボタンを押せば、次曲を最初から再生することができる。
【００１７】
実施の形態２．
図４はこの発明の実施の形態２におけるエレベータかご内のＢＧＭ再生装置のエレベータ側の動作を説明するためのフローチャート、図５はこの発明の実施の形態２におけるエレベータかご内のＢＧＭ再生装置のＢＧＭ再生装置側の動作を説明するためのフローチャートである。
【００１８】
実施の形態２においては、エレベータ走行中に限り、戸開ボタン７が乗客によって一回押された場合は、そのボタン情報信号はエレベータ制御装置９に取り込まれ、ＢＧＭ選択部４に送られて、例えば、再生中のｘ番目の曲を一旦停止し、ｘ番目の曲を最初から再生する。これにより、エレベータに乗り込んだ乗客が、再生中の曲を始めから聞きたいと思った場合は、戸開ボタン７を一回押せば、その曲を最初から再生することができる。また、エレベータ走行中に限り、戸開ボタン７が乗客によって連続して二回以上押された場合は、そのボタン情報信号はエレベータ制御装置９に取り込まれ、ＢＧＭ選択部４に送られて、例えば、ＢＧＭ再生装置１による再生を停止する。これにより、エレベータに乗り込んだ乗客が、再生中のＢＧＭを聞きたくないと思った場合は、戸開ボタン７を連続して二回以上押せば、ＢＧＭ再生装置１による再生を停止させて、かご内を静かな環境にすることができる。なお、戸開ボタン７を連続して二回以上押してＢＧＭ再生装置１による再生を停止させた場合は、その後エレベータが方向を反転した時、その乗客が居なくなったと判断して、ＢＧＭ再生装置１を停止状態から元の状態に復帰させる。また、エレベータ走行中に限り、戸閉ボタン８が乗客によって一回押された場合は、そのボタン情報信号はエレベータ制御装置９に取り込まれ、ＢＧＭ選択部４に送られて、例えば、再生中のｘ番目の曲を停止し、ｘ＋１番目の曲（次曲）を最初から再生する。これにより、エレベータに乗り込んだ乗客が、好みでないＢＧＭが再生中で飛ばして次のＢＧＭを聞きたいと思った場合は、戸閉ボタン８を一回押せば、ｘ＋１番目の曲（次曲）を最初から再生することができる。
【００１９】
次に、図４に基づいてエレベータかご内のＢＧＭ再生装置のエレベータ側における動作を説明する。
先ず、ステップＳ１でエレベータが走行中であるかどうかを判断する。走行中でなければ（かご停止中）、戸開ボタン７が押されていれば戸開し、戸閉ボタン８が押されていれば戸閉する。エレベータが走行中であれば、ステップＳ２に進み、戸閉ボタン８が押されたかどうかを判断する。戸閉ボタン８が押されていれば、エレベータ制御装置９を介してＢＧＭ再生装置１へ戸閉ボタン情報を出力する（ステップＳ３）。次に、ステップＳ６で戸開ボタン７が何回押されたかを判断する。戸開ボタン７が一回又は連続して二回以上押されていれば、エレベータ制御装置９を介してＢＧＭ再生装置１へ戸開ボタン情報（一回又は連続して二回以上）を出力する（ステップＳ７）。
【００２０】
次に、図５に基づきエレベータかご内のＢＧＭ再生装置のＢＧＭ再生装置側における動作を説明する。
先ず、ＢＧＭ選択部４により、スピーカー２へ最初に出力する情報を選択する（ステップＳ１１）。選択したＢＧＭは音声出力部３を経由してスピーカー２に出力される（ステップＳ１２）。次に、ステップＳ１３でＢＧＭが終了したかどうかを判断し、終了していれば次のＢＧＭを選択し（ステップＳ１４）、これを繰り返す。今、ステップＳ１３でＢＧＭが終了していない時に、エレベータ側からの戸開ボタン情報があると（ステップＳ１５）、戸開ボタン情報が一回の場合は、例えば、再生中のｘ番目の曲を一旦停止し、ｘ番目の曲を最初から再生する（ステップＳ１８）。これにより、エレベータに乗り込んだ乗客が、再生中の曲を始めから聞きたいと思った場合は、戸開ボタン７を一回押せば、その曲を最初から再生することができる。また、戸開ボタン情報が連続二回以上の場合は、例えば、ＢＧＭ再生装置１による再生を停止する（ステップＳ１９）。これにより、エレベータに乗り込んだ乗客が、再生中のＢＧＭを聞きたくないと思った場合は、戸開ボタン７を連続して二回以上押せば、ＢＧＭ再生装置１による再生を停止させて、かご内を静かな環境にすることができる。なお、戸開ボタン７を連続して二回以上押してＢＧＭ再生装置１による再生を停止させた場合は、その後エレベータが方向を反転した時、その乗客が居なくなったと判断して、ＢＧＭ再生装置１を停止状態から元の状態に復帰させる（ステップＳ２０）。また、ステップＳ１７でエレベータ側からの戸閉ボタン情報があれば、ステップＳ１４に進み、例えば、再生中のｘ番目の曲を停止し、ｘ＋１番目の曲を最初から再生する。これにより、エレベータに乗り込んだ乗客が、好みでないＢＧＭが再生中で飛ばして次のＢＧＭを聞きたいと思った場合は、戸閉ボタン８を一回押せば、ｘ＋１番目の曲（次曲）を最初から再生することができる。
【００２１】
以上述べたように、この実施の形態２によれば、エレベータ走行中に限り、再生中の曲を始めから聞きたいと思った場合は、戸開ボタンを一回押せば、その曲を最初から再生することができる。また、再生中のＢＧＭを聞きたくないと思った場合は、戸開ボタンを連続して二回以上押せば、再生を停止させて、かご内を静かな環境にすることができる。なお、戸開ボタンを連続して二回以上押して再生を停止させた場合は、その後エレベータが方向を反転した時、その乗客が居なくなったと判断して、ＢＧＭ再生装置を停止状態から元の状態に復帰させる。また、好みでないＢＧＭが再生中で飛ばして次のＢＧＭを聞きたいと思った場合は、戸閉ボタンを一回押せば、次曲を最初から再生することができる。
【図面の簡単な説明】
【００２２】
【図１】この発明の実施の形態１におけるエレベータかご内のＢＧＭ再生装置を示すシステム構成図である。
【図２】エレベータかご内のＢＧＭ再生装置のエレベータ側における動作を説明するためのフローチャートである。
【図３】エレベータかご内のＢＧＭ再生装置におけるＢＧＭ再生装置側の動作を説明するためのフローチャートである。
【図４】この発明の実施の形態２におけるエレベータかご内のＢＧＭ再生装置のエレベータ側の動作を説明するためのフローチャートである。
【図５】この発明の実施の形態２におけるエレベータかご内のＢＧＭ再生装置のＢＧＭ再生装置側の動作を説明するためのフローチャートである。
【図６】従来のエレベータかご内のＢＧＭ再生装置を示すシステム構成図である。
【符号の説明】
【００２３】
１  ＢＧＭ再生装置
２  スピーカー
３  音声出力部
４  ＢＧＭ選択部
５  ＢＧＭ情報記憶部
６  かご操作盤
７  戸開ボタン
８  戸閉ボタン
９  エレベータ制御装置
【図１】
2009035340.tif 000003
【図２】
2009035340.tif 000004
【図３】
2009035340.tif 000005
【図４】
2009035340.tif 000006
【図５】
2009035340.tif 000007
【図６】
2009035340.tif 000008